(57)【要約】【課題】カード部を収納する際の静電気等による放電を抑制可能な電子機器及びそのシールド構造を提供する。【解決手段】フレームグランドとなる筐体２を有する本体部３と、回路基板４と回路基板４の基端部に設けられたフロントパネル５とを有し、筐体２にスライド収納されるカード部６と、を備え、カード部６を本体部３にスライド収納する際に、フロントパネル５と筐体２とが直接接触するまでの間に、フロントパネル５と筐体２とを電気的に接続してフロントパネル５をフレームグランドに接続し、フロントパネル５の帯電による放電を抑制する放電抑制手段１０を備えたものである。【選択図】図１
2015072976.tif 000002
【特許請求の範囲】
【請求項１】
フレームグランドとなる筐体を有する本体部と、
回路基板と該回路基板の基端部に設けられたフロントパネルとを有し、前記筐体にスライド収納されるカード部と、を備え、
前記カード部を前記本体部にスライド収納する際に、前記フロントパネルと前記筐体とが直接接触するまでの間に、前記フロントパネルと前記筐体とを電気的に接続して前記フロントパネルをフレームグランドに接続し、前記フロントパネルの帯電による放電を抑制する放電抑制手段を備えた
ことを特徴とする電子機器。
【請求項２】
前記放電抑制手段は、
前記回路基板の側端部にスライド方向に沿って設けられ、前記フロントパネルと電気的に接続された基板側導電性部材と、
前記筐体と前記基板側導電性部材の一方に設けられ、前記カード部を前記本体部にスライド収納する際に、前記筐体と前記基板側導電性部材の他方に弾性的に接触して電気的に接続する接続部材と、を備えている
請求項１記載の電子機器。
【請求項３】
前記放電抑制手段は、前記筐体に前記回路基板のスライド方向に沿って設けられた筐体側導電性部材をさらに備え、
前記接続部材は、前記基板側導電性部材と前記筐体側導電性部材の一方に設けられ、前記カード部を前記本体部にスライド収納する際に、前記基板側導電性部材と前記筐体側導電性部材の他方に弾性的に接触して電気的に接続するように構成されている
請求項２記載の電子機器。
【請求項４】
前記基板側導電性部材は、前記回路基板の両側端部にスライド方向に沿って設けられ、前記回路基板の反りを抑制する反り抑制部材からなる
請求項２または３記載の電子機器。
【請求項５】
前記接続部材は、樹脂フォームに導電性の導電布を巻き付けたガスケットテープからなる
請求項２〜４いずれかに記載の電子機器。
【請求項６】
フレームグランドとなる筐体を有する本体部と、
回路基板と該回路基板の基端部に設けられたフロントパネルとを有し、前記筐体にスライド収納されるカード部と、を備えた電子機器のシールド構造であって、
前記カード部を前記本体部にスライド収納する際に、前記フロントパネルと前記筐体とが直接接触するまでの間に、前記フロントパネルと前記筐体とを電気的に接続して前記フロントパネルをフレームグランドに接続し、前記フロントパネルの帯電による放電を抑制する放電抑制手段を備えた
ことを特徴とする電子機器のシールド構造。
【発明の詳細な説明】
【技術分野】
【０００１】
本発明は、電子機器及びそのシールド構造に関するものである。
【背景技術】
【０００２】
従来より、筐体を有する本体部と、回路基板を有するカード部とを有し、カード部を筐体にスライド収納することで、回路基板を本体部に搭載して種々の機能を実現する電子機器が知られている。回路基板の基端部にはフロントパネルが設けられており、フロントパネルを手で持って回路基板を筐体に収納する作業を行うのが一般的である。
【０００３】
このような電子機器として、カード部であるラインカードを、本体部にスライド収納して構成されるシャーシ型スイッチが知られている。
【０００４】
なお、この出願の発明に関連する先行技術文献情報としては、特許文献１，２がある。
【先行技術文献】
【特許文献】
【０００５】
【特許文献１】特開２０１１−０８２３４２号公報
【特許文献２】特開２０１２−８９７７３号公報
【発明の概要】
【発明が解決しようとする課題】
【０００６】
しかしながら、上述の従来の電子機器では、静電気等により帯電した状態の手でフロントパネルを持ってカード部を収納しようとすると、筐体あるいは隣接する回路基板との間で放電が発生し、不具合が発生してしまう場合があるという問題があった。
【０００７】
特に、シャーシ型スイッチ等では、近年の高速化、小型化（グランド面積の減少）、回路基板の実装密度の高密度化等の影響により、放電等のノイズの影響が従来と比較して大きくなる傾向がある。安定した動作を得るために、静電気等による放電を抑制する対策が強く望まれる。
【０００８】
そこで、本発明の目的は、上記課題を解決し、カード部を収納する際の静電気等による放電を抑制可能な電子機器及びそのシールド構造を提供することを目的とする。
【課題を解決するための手段】
【０００９】
本発明は上記目的を達成するために創案されたものであり、フレームグランドとなる筐体を有する本体部と、回路基板と該回路基板の基端部に設けられたフロントパネルとを有し、前記筐体にスライド収納されるカード部と、を備え、前記カード部を前記本体部にスライド収納する際に、前記フロントパネルと前記筐体とが直接接触するまでの間に、前記フロントパネルと前記筐体とを電気的に接続して前記フロントパネルをフレームグランドに接続し、前記フロントパネルの帯電による放電を抑制する放電抑制手段を備えた電子機器である。
【００１０】
前記放電抑制手段は、前記回路基板の側端部にスライド方向に沿って設けられ、前記フロントパネルと電気的に接続された基板側導電性部材と、前記筐体と前記基板側導電性部材の一方に設けられ、前記カード部を前記本体部にスライド収納する際に、前記筐体と前記基板側導電性部材の他方に弾性的に接触して電気的に接続する接続部材と、を備えていてもよい。
【００１１】
前記放電抑制手段は、前記筐体に前記回路基板のスライド方向に沿って設けられた筐体側導電性部材をさらに備え、前記接続部材は、前記基板側導電性部材と前記筐体側導電性部材の一方に設けられ、前記カード部を前記本体部にスライド収納する際に、前記基板側導電性部材と前記筐体側導電性部材の他方に弾性的に接触して電気的に接続するように構成されていてもよい。
【００１２】
前記基板側導電性部材は、前記回路基板の両側端部にスライド方向に沿って設けられ、前記回路基板の反りを抑制する反り抑制部材からなってもよい。
【００１３】
前記接続部材は、樹脂フォームに導電性の導電布を巻き付けたガスケットテープからなってもよい。
【００１４】
また、本発明は、フレームグランドとなる筐体を有する本体部と、回路基板と該回路基板の基端部に設けられたフロントパネルとを有し、前記筐体にスライド収納されるカード部と、を備えた電子機器のシールド構造であって、前記カード部を前記本体部にスライド収納する際に、前記フロントパネルと前記筐体とが直接接触するまでの間に、前記フロントパネルと前記筐体とを電気的に接続して前記フロントパネルをフレームグランドに接続し、前記フロントパネルの帯電による放電を抑制する放電抑制手段を備えた電子機器のシールド構造である。
【発明の効果】
【００１５】
本発明によれば、カード部を収納する際の静電気等による放電を抑制可能な電子機器及びそのシールド構造を提供できる。
【図面の簡単な説明】
【００１６】
【図１】（ａ）は、本発明の一実施形態に係る電子機器の内部構造を示す斜視図、（ｂ）はガスケットを設けた反り防止部材の斜視図である。
【図２】（ａ）は、カード部を本体部内に挿入したときの内部構造を示す斜視図、（ｂ）は模式的な断面図である。
【図３】（ａ）はカード部を裏面側から見た平面図、（ｂ）はその３Ｂ−３Ｂ線断面図である。
【図４】（ａ），（ｂ）は、本発明の一変形例に係る電子機器のシールド構造を説明する模式図である。
【発明を実施するための形態】
【００１７】
以下、本発明の実施形態を添付図面にしたがって説明する。
【００１８】
図１（ａ）は、本実施形態に係る電子機器の内部構造を示す斜視図、図１（ｂ）はガスケットを設けた反り防止部材の斜視図である。また、図２（ａ）は、カード部を本体部内に挿入したときの内部構造を示す斜視図、図２（ｂ）は模式的な断面図である。
【００１９】
図１，２に示すように、電子機器１は、フレームグランドとなる筐体２を有する本体部３と、回路基板４と回路基板４の基端部に設けられたフロントパネル５とを有し、筐体２にスライド収納されるカード部６と、を備えている。ここでは、本体部３に７枚のカード部６を収容するように電子機器１を構成しているが、収容可能なカード部６の枚数はこれに限らず、適宜変更可能である。
【００２０】
筐体２には、回路基板４の両側端部をスライド可能に収容するガイドレール７が設けられている。回路基板４の両側端部をガイドレール７に収容し、回路基板４をガイドレール７に沿ってスライドさせつつカード部６を本体部３内に押し込むことで、カード部６が本体部３内に収納される。
【００２１】
回路基板４の先端部には、コネクタ８が設けられており、カード部６を本体部３内に収容すると、コネクタ８が本体部３内に設けられたコネクタ（図示せず）に嵌合され、回路基板４と本体部３の内部基板とが電気的に接続されるように構成されている。コネクタ８は、回路基板４の表面に設けられ、回路基板４の先端部から突出するように設けられている。また、回路基板４の裏面における基端側の一部を覆うように、金属板９が設けられている。金属板９は、フロントパネル５と一体に設けられている。
【００２２】
また、電子機器１では、カード部６を本体部３内に収納すると、回路基板４の基端部に設けられたフロントパネル５が本体部３の開口（カード部６の挿入口）を塞ぐようになっている。フロントパネル５および筐体２は、金属からなり、カード部６を本体部３内に収容すると接触して、電気的に接続されるようになっている。
【００２３】
フロントパネル５は、本体部３の内部で発生した電磁波が外部に漏出すること、および外部からのノイズの混入を抑制するため、金属で形成されるのが一般的である。しかし、フロントパネル５を金属で形成すると、静電気等により帯電した状態の手でフロントパネル５を持ってカード部６を収納しようとした際に、筐体２あるいは隣接する回路基板４との間で放電が発生し、リブートの発生などの不具合が発生してしまう場合がある。
【００２４】
そこで、本実施形態に係る電子機器１では、カード部６を本体部３にスライド収納する際に、フロントパネル５と筐体２とが直接接触するまでの間に、フロントパネル５と筐体２とを電気的に接続してフロントパネル５をフレームグランドに接続し、フロントパネル５の帯電による放電を抑制する放電抑制手段１０を備えている。
【００２５】
放電抑制手段１０は、回路基板４の側端部にスライド方向に沿って延びるように設けられ、フロントパネル５と電気的に接続された基板側導電性部材１１と、筐体２と基板側導電性部材１１の一方に設けられ、カード部６を本体部３にスライド収納する際に、筐体２と基板側導電性部材１１の他方に弾性的に接触して電気的に接続する接続部材１２と、を備えている。
【００２６】
本実施形態では、放電抑制手段１０は、筐体２に回路基板４のスライド方向に沿って延びるように設けられた筐体側導電性部材１３をさらに備えている。接続部材１２は、基板側導電性部材１１に設けられ、カード部６を本体部３にスライド収納する際に、筐体側導電性部材１３に弾性的に接触して両導電性部材１１，１３を電気的に接続するように構成されている。
【００２７】
図１〜３に示すように、基板側導電性部材１１は、回路基板４の両側端部にスライド方向に沿って設けられた金属部材からなる。本実施形態では、この基板側導電性部材１１として、剛性の高い金属部材を用い、回路基板４の反りを抑制する反り抑制部材としての役割も兼ねるようにした。ここでは基板側導電性部材１１を断面コ字状に形成しているが、基板側導電性部材１１の形状はこれに限定するものではない。
【００２８】
基板側導電性部材１１は、ねじ止めにより回路基板４に固定される。回路基板４は、内層にグランド層（内層グランド層という）を有しており、ねじ止め用のねじ１１ａを介して基板側導電性部材１１と内層グランド層とが電気的に接続されている。
【００２９】
同様に、フロントパネル５（金属板９）もねじ止めにより回路基板４に固定されており、ねじ止め用のねじ（図示せず）を介してフロントパネル５と内層グランド層とが電気的に接続されている。つまり、基板側導電性部材１１とフロントパネル５とは、内層グランド層を介して電気的に接続されている。
【００３０】
接続部材１２は、基板側導電性部材１１の回路基板４と反対側の面に設けられる。本実施形態では、接続部材１２として、ポリウレタンフォームなどのスポンジ状の樹脂フォームに、導電性の導電布を巻き付けたガスケットテープ１４を用いた。導電布は、銅やニッケル等の金属をコーティングしたポリエステルクロス等の導電糸を用いて形成されている。ガスケットテープ１４は、導電性の接着層を有しており、基板側導電性部材１１に貼付され、電気的に接続される。
【００３１】
ここでは、基板側導電性部材１１の先端部をクランク状に形成して回路基板４の裏面から離間するように形成しており、回路基板４と基板側導電性部材１１との間にガスケットテープ１４の先端部を折り込み、接着固定している。これにより、基板側導電性部材１１の先端部におけるガスケットテープ１４をテーパ状に配置することが可能となり、カード部６の挿入を容易にすると共に、ガスケットテープ１４が筐体側導電性部材１３と接触することによるガスケットテープ１４の剥がれを抑制することが可能になる。
【００３２】
筐体側導電性部材１３は、金属板からなり、筐体２の内部にガイドレール７に沿って立設される。ガイドレール７の回路基板４の挿入側の端部は、回路基板４の挿入を容易とするため、回路基板４が挿入される側と反対側に折り曲げてテーパ状に形成されている。
【００３３】
図２に示すように、回路基板４の側端部をガイドレール７に挿入し本体部３内に押し込んでいくと、接続部材１２であるガスケットテープ１４が筐体側導電性部材１３と接触し、両導電性部材１１，１３を電気的に接続する。
【００３４】
これにより、フロントパネル５が、回路基板４の内層グランド層、基板側導電性部材１１、接続部材１２（ガスケットテープ１４）、筐体側導電性部材１３を介して、筐体２と電気的に接続され、フレームグランドに接続されることになる。
【００３５】
両導電性部材１１，１３を設ける位置や長さについては、回路基板４を挿入した際に速やかに接続部材１２と筐体側導電性部材１３とが接触され、かつ、フロントパネル５が筐体２に直接接触するまで接続部材１２と筐体側導電性部材１３との接触が維持されるように、適宜調整するとよい。
【００３６】
ここでは、カード部６を８０ｍｍ挿入したときに接続部材１２と筐体側導電性部材１３とが接触するように構成した。カード部６の挿入時に接続部材１２と筐体側導電性部材１３とが速やかに接触するように、基板側導電性部材１１は回路基板４の先端近傍まで延出されていることが望ましく、筐体側導電性部材１３は、カード部６の挿入口の近傍まで延出されていることが望ましい。
【００３７】
なお、カード部６を挿入する際に、基板側導電性部材１１が接続部材１２を介さずに直接筐体側導電性部材１３に接触するよう構成することも考えられるが、この場合、剛性の高い金属部材同士が繰り返し接触し擦り合わされることになるため、金属粉が発生し、回路基板４のショート等の原因となる。そこで、本実施形態では、両者の間に接続部材１２としてのガスケットテープ１４を介在させ、金属粉の発生を抑制している。なお、ここではガスケットテープ１４を基板側導電性部材１１に設けたが、筐体側導電性部材１３に設けてもよい。
【００３８】
以上説明したように、本実施形態に係る電子機器１では、カード部６を本体部３にスライド収納する際に、フロントパネル５と筐体２とが直接接触するまでの間に、フロントパネル５と筐体２とを電気的に接続してフロントパネル５をフレームグランドに接続し、フロントパネル５の帯電による放電を抑制する放電抑制手段１０を備えている。
【００３９】
これにより、たとえ静電気等により帯電した状態の手でフロントパネル５を持ってカード部６を収納しようとした場合であっても、フロントパネル５をフレームグランドに接続して筐体２あるいは隣接する回路基板４との間で放電が発生することを抑制し、放電による不具合の発生を抑制することが可能になる。つまり、本発明によれば、カード部６を収納する際の静電気等による放電を抑制可能な電子機器１を実現できる。
【００４０】
本発明は上記実施形態に限定されるものではなく、本発明の趣旨を逸脱しない範囲で種々の変更を加え得ることは勿論である。
【００４１】
上記実施形態では、接続部材１２としてガスケットテープ１４を用いたが、接続部材１２はこれに限定されるものではない。例えば、図４（ａ）に示すように、接続部材１２は、導電性部材からなる板ばね４１から構成されてもよい。図４（ａ）では、筐体側導電性部材１３の先端部に板ばね４１を設け、カード部６の挿入時に基板側導電性部材１１に弾性的に接触するように接続部材１２を構成したが、図４（ｂ）に示すように、板ばね４１を基板側導電性部材１１側に設けることも当然に可能である。
【符号の説明】
【００４２】
１  電子機器
２  筐体
３  本体部
４  回路基板
５  フロントパネル
６  カード部
１０  放電抑制手段
１１  基板側導電性部材
１２  接続部材
１３  筐体側導電性部材
【図１】
2015072976.tif 000003
【図２】
2015072976.tif 000004
【図３】
2015072976.tif 000005
【図４】
2015072976.tif 000006